(57)【要約】【課題】  保守作業を行うために使用する保守用ＩＣカードが盗難や紛失によって第三者に取得された場合、第三者による保守作業の操作を制限する。【解決手段】  保守用ＩＣカード２０は、保守作業を行うために使用するＩＣカードであり、メモリにバリューを記憶している。バリュー減算部１１は、保守作業に基づいて保守用ＩＣカード２０のバリューを減算する。通常動作部１２は、決済用のＩＣカードの電子決済を行い、または、ＩＣカードに現金をチャージする通常の動作を行う。保守動作部１３は、保守を行うための保守用ＩＣカード２０のバリューが０以上である場合、端末装置３０からの指示に従って保守作業を行う。【選択図】  図１
2006092234.tif 000002
【特許請求の範囲】
【請求項１】
ＩＣカードの情報を読み書きする電子決済装置において、
保守作業を行うために使用される保守用ＩＣカードのバリューに基づいて、前記保守作業を可能にする保守作業可能手段と、
前記保守作業に基づいて、前記保守用ＩＣカードの前記バリューを減算するバリュー減算手段と、
を有することを特徴とする電子決済装置。
【請求項２】
前記保守用ＩＣカードは、開発時の試験または練習時に使用されるテスト用ＩＣカードであることを特徴とする請求項１記載の電子決済装置。
【請求項３】
前記保守用ＩＣカードは、専用のチャージ機で前記バリューがチャージされることを特徴とする請求項１記載の電子決済装置。
【請求項４】
前記バリュー減算手段は、前記保守作業ごとに前記バリューを減算することを特徴とする請求項１記載の電子決済装置。
【請求項５】
前記バリュー減算手段は、前記保守作業の作業項目ごとに前記バリューを減算することを特徴とする請求項１記載の電子決済装置。
【請求項６】
前記バリュー減算手段は、前記保守作業の作業時間に基づいて前記バリューを減算することを特徴とする請求項１記載の電子決済装置。
【請求項７】
前記バリュー減算手段は、前記保守作業の作業時間帯ごとに、減算する前記バリューを変えることを特徴とする請求項１記載の電子決済装置。
【請求項８】
前記テスト用ＩＣカードは、前記保守作業を行うことができるための情報が格納されていることを特徴とする請求項２記載の電子決済装置。
【発明の詳細な説明】
【技術分野】
【０００１】
本発明は電子決済装置に関し、特にＩＣカードの情報を読み書きする電子決済装置に関する。
【背景技術】
【０００２】
現在、コンビニエンスストアなどの店舗で電子決済を導入する動きが広まっている。例えば、ＩＣチップを内蔵したＩＣカードによる電子決済があり、現金をＩＣカードにチャージすれば、繰り返し決済をすることができる。
【０００３】
このようなＩＣカードによる電子決済装置は、保守を行う際にその操作へのアクセス許可やログを取るため、専用の保守用ＩＣカードを利用している。この保守用ＩＣカードを保守要員にのみ配布することで、保守操作に対するセキュリティを実現している。
【０００４】
図７は、従来の電子決済装置のシステム構成図である。図に示す電子決済装置１００は、ＩＣカードで電子決済をする装置である。電子決済装置１００は、リーダライタ１０１を有し、端末装置１２０と接続されている。
【０００５】
電子決済装置１００は、正常な状態を保つための保守作業を、端末装置１２０の指示に従って行う。電子決済装置１００に保守作業をさせるには、保守者にのみ配布される専用の保守用ＩＣカード１１０が必要である。保守者は、専用の保守用ＩＣカード１１０をリーダライタ１０１に載置することによって、端末装置１２０から電子決済装置１００の保守作業を指示することができる。
【０００６】
このように、保守者にのみ保守用ＩＣカード１１０を配布し、保守作業をできるようにすることにより、第三者によって勝手に保守操作をされないよう、セキュリティを実現している。
【０００７】
なお、専用のＩＣカードによって装置を起動させる画像形成装置がある（例えば、特許文献１参照）。また、専用のＩＣカードによってデータの登録やモード更新などの操作を行い、データ設定作業の向上を図ったゲート装置がある（例えば、特許文献２参照）。
【特許文献１】特開平９−４４６１７号公報
【特許文献２】特開平８−２８４５０２号公報
【発明の開示】
【発明が解決しようとする課題】
【０００８】
しかし、保守用ＩＣカードが、例えば、盗難や紛失によって第三者に取得された場合、その第三者は、無制限に保守操作をすることができるという問題点があった。
本発明はこのような点に鑑みてなされたものであり、保守用ＩＣカードが第三者に取得されても、第三者による保守操作を制限することができる電子決済装置を提供することを目的とする。
【課題を解決するための手段】
【０００９】
本発明では上記問題を解決するために、ＩＣカードの情報を読み書きする電子決済装置において、保守作業を行うために使用される保守用ＩＣカードのバリューに基づいて、前記保守作業を可能にする保守作業可能手段と、前記保守作業に基づいて、前記保守用ＩＣカードの前記バリューを減算するバリュー減算手段と、を有することを特徴とする電子決済装置が提供される。
【００１０】
このような電子決済装置によれば、保守用ＩＣカードのバリューに基づいて、保守作業を可能にし、保守作業に基づいて、保守用ＩＣカードのバリューを減算する。これにより、第三者が保守用ＩＣを取得して保守操作をするとバリューが減算されていき、保守操作を行えなくすることができる。
【発明の効果】
【００１１】
本発明の電子決済装置では、保守用ＩＣカードのバリューに基づいて、保守作業を可能にし、保守作業に基づいて、保守用ＩＣカードのバリューを減算するようにした。これによって、第三者が保守用ＩＣを取得して保守操作をするとバリューが減算されていき、保守操作が行えなくなって、第三者による保守操作を制限することができる。
【発明を実施するための最良の形態】
【００１２】
以下、本発明の実施の形態を図面を参照して詳細に説明する。
図１は、電子決済装置の機能ブロック図である。図に示すように電子決済装置１０は、バリュー減算部１１、通常動作部１２、保守動作部１３、およびリーダライタ１４を有している。電子決済装置１０は、例えば、ＩＣカードで電子決済をする装置である。または、ＩＣカードに現金をチャージする装置である。または、ＩＣカードの電子決済と現金のチャージとの両方をすることができる装置である。
【００１３】
バリュー減算部１１は、電子決済装置１０の保守作業を行うために使用される保守用ＩＣカード２０のメモリから、保守作業に基づいてバリューを減算する。バリュー減算部１１は、例えば、１回の保守作業ごとに一定のバリューを減算する。または、保守作業の作業項目ごとに一定のバリューを減算する。または、保守作業に要する時間に基づいてバリューを減算する。または、保守作業が行われる作業時間帯に基づいて値の異なるバリューを減算する。
【００１４】
通常動作部１２は、ＩＣカードによる電子決済を行い、または、ＩＣカードに現金をチャージする通常の動作を行う。通常動作部１２は、電子決済を行う通常のＩＣカードがリーダライタ１４により読み込まれた場合に動作をする。
【００１５】
保守動作部１３は、電子決済装置１０を正常な状態に保つための保守作業を、端末装置３０からの指示に従って行う。または、図示してないが、電子決済装置１０の具備しているキー入力からの指示に従って保守作業を行う。保守動作部１３は、保守を行うための保守用ＩＣカード２０がリーダライタ１４によって読み込まれ、その保守用ＩＣカード２０のバリューが０以上である場合に保守作業を行う。
【００１６】
リーダライタ１４は、ＩＣカードの情報を読み書きする。リーダライタ１４は、非接触式または接触式のリーダライタである。
保守用ＩＣカード２０は、電子決済装置１０を保守作業するときに使用するＩＣカードである。保守用ＩＣカード２０は、読み書き可能なメモリを具備し、バリューを含む様々な情報を記憶する。
【００１７】
端末装置３０は、電子決済装置１０の保守動作部１３に接続されている。端末装置３０は、例えば、パーソナルコンピュータである。端末装置３０は、保守者から保守作業の指示を受け付け保守動作部１３に指示し、また、保守作業の結果をディスプレイに表示する。
【００１８】
電子決済装置１０のハードウェア構成例について説明する。
図２は、電子決済装置のハードウェア構成例を示した図である。図に示す電子決済装置１０は、ＣＰＵ(Central Processing Unit)１０ａによって装置全体が制御されている。ＣＰＵ１０ａには、バス１０ｆを介してＲＡＭ(Random Access Memory)１０ｂ、ＲＯＭ(Read Only Memory)１０ｃ、入力インターフェース１０ｄ、および通信インターフェース１０ｅが接続されている。
【００１９】
ＲＡＭ１０ｂには、ＣＰＵ１０ａに実行させるＯＳ(Operating System)のプログラムや電子決済、保守作業を行うためのアプリケーションプログラムの少なくとも一部が一時的に格納される。また、ＲＡＭ１０ｂには、ＣＰＵ１０ａによる処理に必要な各種データが保存される。ＲＯＭ１０ｃには、ＯＳやアプリケーションプログラムなどが格納される。
【００２０】
ＣＰＵ１０ａは、アプリケーションプログラムに従って、例えば、保守用ＩＣカード２０のメモリからバリューを読み込み、ＲＡＭ１０ｂまたは内蔵しているレジスタに一時記憶する。ＣＰＵ１０ａは、この記憶したバリューから、保守作業に基づく値のバリューを減算し、減算した結果を保守用ＩＣカード２０のメモリに書き込む。
【００２１】
入力インターフェース１０ｄには、リーダライタ１４が接続されている。入力インターフェース１０ｄは、リーダライタ１４から送られてくるデータを、バス１０ｆを介してＣＰＵ１０ａに送信し、ＣＰＵ１０ａから送られてくるデータを、リーダライタ１４に送信する。
【００２２】
通信インターフェース１０ｅは、端末装置３０と接続される。通信インターフェース１０ｅは、ＣＰＵ１０ａからの命令に従って、端末装置３０と通信をする。このようなハードウェア構成によって、図１で説明した機能が実現される。
【００２３】
バリューの減算について説明する。
図３は、バリューを説明する図で、（Ａ）は減額前、（Ｂ）は減額後のバリューを示した図である。図３（Ａ）に示すように保守用ＩＣカード２０に１００００円分のバリューがチャージされているとする。ある保守作業によって、バリューが１０００円減額されるとすると、図３（Ｂ）に示すように、残りのバリューは９０００円となる。
【００２４】
保守用ＩＣカード２０について詳細に説明する。保守用ＩＣカード２０には、電子決済装置１０の開発時の試験に使用されたＩＣカードや、電子決済装置１０が設置される店の店員等が練習用として使用するＩＣカードを流用する。これらのＩＣカードは、試験用、練習用であるため、バリューの減算が可能であり、アクセス許可およびログを記録することも可能である。従って、保守作業専用のＩＣカードを開発、生産することなく、保守用ＩＣカード２０からバリューを減算することが可能となり、また、保守操作に対するアクセス許可およびログを記録することが可能となる。
【００２５】
図４は、ＩＣカードの種類を説明する図である。表４０に示すように従来では、ＩＣカードは、決済に使用される決済用ＩＣカードと、試験または練習に使用されるテスト用ＩＣカードと、保守作業に専用で使用される保守用ＩＣカードと分かれていた。本発明では、ＩＣカードは、表４０に示すように決済用ＩＣカードとテスト用ＩＣカードと存在するが、保守用は、従来のように専用のＩＣカードではなく、テスト用ＩＣカードを流用する。
【００２６】
しかしこのままだと、店の店員が使用するテスト用ＩＣカードと、保守者が使用するテスト用ＩＣカードが同じＩＣカードとなってしまうため、店員も保守操作をすることが可能となってしまう。そこで、テスト用ＩＣカードを識別番号で練習用と保守用とに区別する。例えば、表４０に示すように、識別番号（ＩＤ）が００００〜８９９９のテスト用ＩＣカードは、練習用のテスト用ＩＣカードとする。識別番号が９０００〜９９９９のテスト用ＩＣカードは、保守用のテスト用ＩＣカードとする。
【００２７】
保守用のテスト用ＩＣカードは、保守者にのみ配布する。これによって、保守者以外の店員等は、保守作業をすることができなくなる。なお、識別番号は、テスト用ＩＣカードのメモリに記憶される。図１に示す保守動作部１３は、この識別番号を読み込んで、テスト用ＩＣカードが練習用であるか保守用であるか判断する。
【００２８】
保守用ＩＣカード２０のチャージについて説明する。保守用ＩＣカード２０は、保守作業に基づいてバリューが減算される。そこで、保守者は、保守作業を行う前にバリューを予めチャージする必要がある。チャージは、例えば、保守を行う会社など、特定の場所に設置される保守用ＩＣカード用のチャージ機で行う。
【００２９】
図５は、保守用ＩＣカードのチャージを説明する図である。図に示す事務所５１〜５３は、例えば、電子決済装置１０の保守作業を行う会社の事務所である。チャージ機５１ａ〜５３ａは、各事務所５１〜５３に設置されているチャージ機である。
【００３０】
保守者は、事務所５１〜５３に設置されたチャージ機５１ａ〜５３ａで、保守用ＩＣカード２０をチャージできる。保守者は、保守作業に必要な分だけバリューをチャージするようにする。これによって、保守作業前に保守用ＩＣカード２０が盗難または紛失されても、保守用ＩＣカード２０にチャージされているバリュー分しか保守操作を行えず、第三者による保守操作を最小限に抑えることができる。
【００３１】
なお、チャージ機５１ａ〜５３ａは、チャージ機能を有した図１の電子決済装置１０である。従って、チャージ機５１ａ〜５３ａ自体も保守作業の対象となる。
以下、図１の動作について説明する。まず、１回の保守作業で一定のバリューを減算する場合の動作について説明する。保守者は、保守用ＩＣカード２０をリーダライタ１４に載置する。バリュー減算部１１は、保守用ＩＣカード２０のバリューを一定の値で減算する。例えば、チャージされているバリューが１００００円とする。減額する一定の値を１０００円とする。この場合、残りのバリューは、９０００円となる。
【００３２】
保守動作部１３は、保守用ＩＣカード２０のバリューが０以上であれば、端末装置３０からの指示を受け付け、保守作業を行う。例えば、１回の保守作業に、３つの作業項目があるとすると、各作業項目を受け付けて、保守作業を終了する。保守用ＩＣカード２０のバリューが０より小さければ、端末装置３０からの指示を受け付けず、保守作業を行わない。
【００３３】
このように、１回の保守作業ごとに一定のバリューを減算する場合には、いくつかの現場を回って保守作業を行うようなときに、その回る回数分に応じたバリューを保守用ＩＣカード２０にチャージしておく。すると全保守作業を完了した時点でバリューを０にすることができる。
【００３４】
次に、保守作業の作業項目ごとに基づいてバリューを減算する場合の動作について説明する。保守作業には、複数の項目があり、項目の重要度に基づいて、減算するバリューが異なっている。
【００３５】
図６は、項目に基づいて減額するバリューのデータ構成例を示した図である。図に示すようにバリューデータ６１は、項目、重要度、および減額バリューの欄を有している。項目の欄には、保守作業の項目番号が格納されている。重要度の欄には、各項目に対する重要度が格納されている。減額バリューの欄には、保守用ＩＣカード２０から減額するバリューが格納されている。
【００３６】
重要度は、Ａ〜Ｅでランク分けされ、Ａが最も重要度が高く、Ｅが最も重要度が低い。減額バリューは、重要度の最も高いＡで最も高額の１００００円、重要度の最も低いＥで最も低額の１０００円となっている。バリューデータ６１は、例えば、図２で示したＲＡＭ１０ｂまたはＲＯＭ１０ｃに記憶されている。
【００３７】
保守者は、端末装置３０から保守作業の項目を選択し（項目１を選択したとする）、保守用ＩＣカード２０をリーダライタ１４に載置する。バリュー減算部１１は、バリューデータ６１を参照し、保守用ＩＣカード２０のバリューから、項目１に対応するバリューの５０００円を減算する。保守動作部１３は、保守用ＩＣカード２０のバリューが０以上であれば、項目１の保守作業を行う。保守用ＩＣカード２０のバリューが０より小さければ、保守作業を行わない。
【００３８】
保守者は、端末装置３０から次の保守作業の項目を選択し（項目４を選択したとする）、保守用ＩＣカード２０をリーダライタ１４に載置する。バリュー減算部１１は、バリューデータ６１を参照し、保守用ＩＣカード２０のバリューから、項目４に対応するバリューの２０００円を減算する。保守動作部１３は、保守用ＩＣカード２０のバリューが０以上であれば、項目４の保守作業を行う。保守用ＩＣカード２０のバリューが０より小さければ、保守作業を行わない。
【００３９】
なお、予めチャージされていたバリューが７０００円であったとすると、前述の項目４の減算によって、バリューは０となる。この状態で保守用ＩＣカード２０が第三者によって盗難されても、第三者は、保守操作をすることができない。また、バリューが残っていたとしてもそれが少なければ、重要度の高い項目の保守操作をすることができない。
【００４０】
このように、保守作業の項目の重要度に基づいて減額するバリューを変更することにより、保守者が保守作業に必要な分だけチャージしておくことによって、非常に重要な操作に対しては、第三者に保守操作を行えないようにすることができる。
【００４１】
次に、保守作業の作業時間に基づいてバリューを減算する場合の動作について説明する。保守者以外の第三者が保守操作を行う場合、不慣れのため作業効率が悪い。そこで、ある時間単位ごとにバリューを減額する。例えば、１０分ごとに１００円減額していく。このように、保守作業の作業時間に基づいてバリューを減算することにより、保守作業に慣れない第三者による保守操作を最小限に抑えることができる。
【００４２】
なお、時間単位ごとに減額するバリューは、例えば、図２で示したＲＡＭ１０ｂまたはＲＯＭ１０ｃに記憶されている。バリュー減算部１１は、ＲＡＭ１０ｂまたはＲＯＭ１０ｃを参照し、所定の時間単位ごとにバリューを減算する。
【００４３】
次に、保守作業が行われる作業時間帯に基づいてバリューを減算する場合の動作について説明する。保守者が保守作業する時間帯を想定して、作業時間帯ごとに減算するバリューを変える。例えば、保守作業がよく行われる８：００から１６：００の時間帯では、減算するバリューを１０００円とし、保守作業があまり行われない１６：００〜２４：００の時間帯では、減算するバリューを２０００円とする。そして、ほとんど保守作業が行われない０：００〜８：００の時間帯では、減算するバリューを３０００円とする。このように、時間帯によって減算するバリューを変えることにより、保守作業があまり行われない時間帯に行われる第三者の保守操作を最小限に抑えることができる。
【００４４】
なお、作業時間帯ごとに減額するバリューは、例えば、図２で示したＲＡＭ１０ｂまたはＲＯＭ１０ｃに記憶されている。バリュー減算部１１は、ＲＡＭ１０ｂまたはＲＯＭ１０ｃを参照し、時間帯ごとに減算するバリューを変更する。
【００４５】
このように、保守作業に基づいて保守用ＩＣカードのバリューを減算し、バリューが０以上の場合に保守作業を可能にするようにした。これによって、保守者は、保守作業を行う分だけのバリューをチャージしておけば、作業完了後に保守用ＩＣカードの盗難または紛失にあっても、その保守用ＩＣカードのバリューはなくなっているため、第三者によって保守操作を行えなくすることができる。また、保守作業前に保守用ＩＣカードの盗難または紛失にあっても、カードにチャージされている分だけの保守操作しか行えず、保守作業のセキュリティを向上することができる。
【００４６】
また、テスト用ＩＣカードという既存のＩＣカードを利用することにより、新規に専用の保守用ＩＣカードを開発、製造する必要がなく、開発コストを低減することができる。
【図面の簡単な説明】
【００４７】
【図１】電子決済装置の機能ブロック図である。
【図２】電子決済装置のハードウェア構成例を示した図である。
【図３】バリューを説明する図で、（Ａ）は減額前、（Ｂ）は減額後のバリューを示した図である。
【図４】ＩＣカードの種類を説明する図である。
【図５】保守用ＩＣカードのチャージを説明する図である。
【図６】項目に基づいて減額するバリューのデータ構成例を示した図である。
【図７】従来の電子決済装置のシステム構成図である。
【符号の説明】
【００４８】
１０  電子決済装置
１１  バリュー減算部
１２  通常動作部
１３  保守動作部
１４  リーダライタ
２０  保守用ＩＣカード
３０  端末装置
【図１】
2006092234.tif 000003
【図２】
2006092234.tif 000004
【図３】
2006092234.tif 000005
【図４】
2006092234.tif 000006
【図５】
2006092234.tif 000007
【図６】
2006092234.tif 000008
【図７】
2006092234.tif 000009